(57)【特許請求の範囲】
【請求項１】
オーバーグラスのレンズ部の内面にシースルー型の液晶表示部を配置し、
且つ上記液晶表示部の水平方向での表示範囲を表示画像のそれよりも広くするとともに、その表示画像の表示位置を水平方向で調整可能に構成したことを特徴とする眼鏡型映像表示装置。
【請求項２】
オーバーグラスのレンズ部として色付きのものを用いるとともに、この色付きレンズ部の内面にシースルー型の液晶表示部を配置し、
且つ上記液晶表示部の水平方向での表示範囲を表示画像のそれよりも広くするとともに、その表示画像の表示位置を水平方向で調整可能に構成したことを特徴とする眼鏡型映像表示装置。
【発明の詳細な説明】
【０００１】
【発明の属する技術分野】
本発明は、携帯電話を含む各種携帯端末情報（ＰＤＡ）、ウエアラブルＰＣ（身にまとうコンピュータ）、携帯用ＤＶＤ装置、その他のモバイル機器の表示装置として用いられる眼鏡型映像表示装置に関するものである。
【０００２】
【従来の技術】
従来、ウエアラブルＰＣの映像表示装置として、ハーフミラーや自由曲面レンズを用いた両眼式または単眼式の眼鏡型映像表示装置が用いられているが、視力矯正用の通常の眼鏡に比べてかなり大きいものになっている。
【０００３】
【発明が解決しようとする課題】
このような眼鏡型映像表示装置を通常時（普段時）においても装着しようとすると、日常動作を行うのに支障をきたすとともに、この映像表示装置を装着した状態で外出するには抵抗感があるというのが実情であった。
【０００４】
なお、映像表示装置の小型化を図るものとして、眼鏡の縁部に映像表示装置を取り付けるようにしたクリップオン式のもの（例えば、特開２００１−３０５４７６号公報参照）が提案されているが、このものでも、映像を表示するための光学系が大きく前方に突出しており、やはり、装着した状態で外出するのに抵抗感がある。
【０００５】
そこで、本発明は、外出時に抵抗感なく装着し得るとともに眼鏡の上からでも装着し得る眼鏡式映像表示装置を提供することを目的とする。
【０００６】
【課題を解決するための手段】
上記課題を解決するために、本発明の請求項１に係る眼鏡型映像表示装置は、オーバーグラスのレンズ部の内面にシースルー型の液晶表示部を配置し、且つ上記液晶表示部の水平方向での表示範囲を表示画像のそれよりも広くするとともに、その表示画像の表示位置を水平方向で調整可能に構成したものである。
【０００７】
また、請求項２に係る眼鏡型映像表示装置は、オーバーグラスのレンズ部として色付きのものを用いるとともに、この色付きレンズ部の内面にシースルー型の液晶表示部を配置し、且つ上記液晶表示部の水平方向での表示範囲を表示画像のそれよりも広くするとともに、その表示画像の表示位置を水平方向で調整可能に構成したものである。
【００１１】
上記各映像表示装置の構成によると、オーバーグラスのレンズ部の内面に液晶表示部を配置したので、その存在に殆ど気が付かないため、他人が当該眼鏡型映像表示装置を装着した人を見た場合でも、違和感を覚えることがない。
【００１２】
また、オーバーグラスのレンズ部を色付きにすることにより、液晶表示部の背面からの余分な光が遮られて映像が見やすいものとなる。
また、オーバーグラスを用いているため、視力矯正用の通常の眼鏡を掛けている人でも、支障なく当該眼鏡型映像表示装置を装着し得る。
【００１３】
さらに、液晶表示部の水平方向での表示範囲を表示画像のそれよりも広くされるとともに、その表示画像の表示位置を水平方向で調整可能にされているため、装着する人の両眼の瞳孔間距離に応じて最適な映像を表示し得る。
【００１４】
【発明の実施の形態】
以下、本発明の実施の形態に係る眼鏡型映像表示装置を、図１〜図３に基づき説明する。
【００１５】
本実施の形態においては、眼鏡型映像表示装置を、プラント設備における保全作業員が携帯する保全用端末装置の映像表示手段として説明する。
図１に示すように、この保全用端末装置１は、概略的には、本発明に係る眼鏡型映像表示装置（ヘッドマウントディスプレイ装置ともいい、以下、映像表示装置という）２と、プラント設備における中央管理室との間で映像データ（音声データも含む）の受け渡しを行うとともに中央管理室から送られる映像データを当該映像表示装置２に表示させるためのウエアラブルコンピュータ装置（以下、コンピュータ装置という）３と、このコンピュータ装置３および映像表示装置２を操作するための操作具（コントローラ）４とから構成されている。勿論、上記コンピュータ装置３は、保全作業者の腰などに装着し得るような小型にされるとともに、コンピュータ装置３と、操作具４と、映像表示装置２とは、互いに信号線５により接続されている。なお、必要に応じて、各装置間における信号線５を設ける替わりに、ブルートゥースのような無線方式を用いて接続してもよい。
【００１６】
そして、上記映像表示装置２は、図１および図２に示すように、例えば視力矯正用の通常の眼鏡（Ｍ）の上から装着し得るようにされたオーバーグラス１１と、このオーバーグラス（例えば、サングラス、ゴーグルなどのようなもの）１１におけるフレーム１２の上縁部１２ａから、両眼に対応する色付きレンズ部（ガラス、プラスチックなどにより形成されている）１３の内面に垂下して設けられたシースルー型の液晶表示部１４と、両レンズ部１３の中央に設けられた鼻当て部１２ｂの直ぐ上方に設けられたカメラ装置（例えば、ＣＣＤカメラが用いられる）１５と、フレーム１２の一方のつる部１２ｃから垂下して設けられたマイクロフォン１６と、フレーム１２の両方のつる部１２ｃに取り付けられたイヤホーン（音声発生用スピーカまたは骨伝導スピーカが用いられる）１７とから構成されている。
【００１７】
したがって、この液晶表示部１４においては、その背面に位置するオーバーグラス１１の色付きレンズ部１３により、背面からの余分な光が遮られるため、液晶画面が見やすくされている。なお、液晶表示部１４およびカメラ装置１５の本体部分は、レンズ部１３の後方に配置されているが、図１においては、分かりやすくするために実線にて示している。
【００１８】
ここで、液晶表示部１４をもう少し詳しく説明する。なお、以下の説明において、映像と称するよりは、画像と称した方が適正な説明となる場合には、画像と称して説明する。
【００１９】
すなわち、液晶表示部１４の表示画面としては、４：３の従来画面ではなく、横に長くされた１６：９のワイド画面が用いられるとともに、このワイド画面に、従来画面の４：３の画像が表示される。
【００２０】
したがって、図３に示すように、表示画像の高さを一致させて、１６：９の画面２１に４：３（１２：９）の画像２２を表示させると両側に空白部分２３が生じることになり、この空白部分２３を利用することにより、表示する画像の水平方向での位置を調整することができる。
【００２１】
すなわち、液晶表示部４のＸ方向駆動回路およびＹ方向駆動回路に画像データおよび水平走査信号を出力するコントローラには、表示画面の各画素に応じて設けられた画像用メモリへの格納位置を制御するメモリ制御部が具備されている（勿論、このメモリ制御部をコントローラ以外の部分に具備させてもよい）。
【００２２】
例えば、操作具４にて格納位置を指示することにより、具体的には、保全作業員が自分の両眼の瞳孔間距離に応じて距離調整ボタンを操作することにより、当該映像表示装置２を使用する保全作業員の両眼の間隔に応じた最適な位置で、画像すなわち映像を見ることができる。したがって、両眼の瞳孔間距離に応じて、映像の表示位置を調整する機械的構造を不要にすることができる。
【００２３】
なお、送られてくる映像の画素数が多い場合に、液晶表示部１４の大きさに合わせて画素数を少なくするための画素数変換部が、例えばコンピュータ装置３側に具備されており、また場合によっては、ディジタル映像信号をＮＴＳＣ方式の映像信号に変換した後、液晶表示部１４の表示画面の大きさに見合った大きさの画像に変換するための画像変換部が具備される。
【００２４】
上記保全用端末装置１を用いて保全作業員がプラント設備の保守点検作業を行う場合、コンピュータ装置３を例えば腰に装着するとともに、オーバーグラス１１を掛けて現場に赴くことになる。なお、保全作業員が通常の眼鏡を掛けている場合でも、オーバーグラス１１であるため、支障なく装着することができる。
【００２５】
そして、保全用端末装置１を装着した保全作業員が現場に到着すると、操作具４を操作して、中央管理室から保守点検に必要な映像（例えば、保守点検対象の機器についての説明映像、現在の機器の動作状態を示すデータ類）を取り込み、コンピュータ装置３を介してその映像を液晶表示部１４に表示させる。したがって、保全作業員は、このオーバーグラス１１のレンズ部１３に映し出された映像を見ながら、機器の保守点検作業を効率良く行うことができる。
【００２６】
ところで、中央管理室から送られてきた映像、すなわち画像が大きい画面である場合には、画素数変換部において、当該液晶表示部１４での表示画像の大きさが適正な大きさとなるように変換される。
【００２７】
また、操作具４により、オーバーグラス１１に設けられたカメラ装置１５にて撮影した映像を、逆に、中央管理室に送ることができるとともに、マイクロフォン１６およびスピーカ１７を介して、中央管理室側と会話をすることができる。
【００２８】
このように、オーバーグラス１１のレンズ部１３の内面に液晶表示部１４を配置したので、その存在に殆ど気が付かないため、他人が当該眼鏡型映像表示装置２を装着した人を見た場合でも、違和感を覚えることがない。すなわち、抵抗感なくこの映像表示装置２を装着することができる。
【００２９】
また、シースルー型の液晶表示部１４の背面が色付きレンズ部１３であるため、液晶表示部１４の背面からの余分な光が遮られて（シースルー機能が抑えられて）映像が見やすいものとなる。
【００３０】
また、オーバーグラス１１を用いているため、視力矯正用の通常の眼鏡を掛けている人でも、支障なく当該映像表示装置２を装着することができる。
さらに、液晶表示部１４の水平方向での表示範囲を表示画像のそれよりも広くされるとともに、その表示画像の表示位置を水平方向で調整可能にされているため、装着する人の両眼の瞳孔間距離に応じて、容易且つ簡単な構成にて、すなわち機械的構成を用いることなく、最適な映像を表示することができる。
【００３１】
なお、上記実施の形態においては、オーバグラス１１のレンズ部１３を色付きとして説明したが、例えば透明であってもよい。
また、上記実施の形態においては、両眼に応じて液晶表示部１４をそれぞれ配置したが、例えば使用（装着）する人の効き眼に応じて、一方だけに表示させるようにしてもよい。この場合、眼の直前ではなく、視界の邪魔にならないような少し下側または横側にずらせて配置してもよい。
【００３２】
さらに、上記実施の形態においては、当該眼鏡型映像表示装置をプラント設備の保全用端末装置における映像表示装置として説明したが、その目的および使用場所に特定されることなく、人体に装着し得る映像表示装置であれば、どのようなものにでも、適用し得るものである。
【００３３】
【発明の効果】
以上のように本発明の眼鏡型映像表示装置の構成によると、オーバーグラスのレンズ部の内面に液晶表示部を配置したので、その存在に殆ど気が付かないため、他人が当該眼鏡型映像表示装置を装着した人を見た場合でも、違和感を覚えることがない。すなわち、抵抗感なくこの眼鏡型映像表示装置を装着することができる。
【００３４】
また、オーバーグラスのレンズ部を色付きにすることにより、液晶表示部の背面からの余分な光が遮られて映像が見やすいものとなる。
また、オーバーグラスを用いているため、視力矯正用の通常の眼鏡を掛けている人でも、支障なく当該眼鏡型映像表示装置を装着することができる。
【００３５】
さらに、液晶表示部の水平方向での表示範囲を表示画像のそれよりも広くされるとともに、その表示画像の表示位置を水平方向で調整可能にされているため、装着する人の両眼の瞳孔間距離に応じて、容易且つ簡単な構成にて、すなわち機械的構成を用いることなく、最適な映像を表示することができる。
【図面の簡単な説明】
【図１】本発明の実施の形態に係る眼鏡型映像表示装置を用いた保全用端末装置の概略構成を示す正面図である。
【図２】同眼鏡型映像表示装置の平面図である。
【図３】同眼鏡型映像表示装置での表示画像の大きさを説明する平面図である。
【符号の説明】
１      保全用端末装置
２      眼鏡型映像表示装置
３      ウエアラブルコンピュータ装置
４      操作具
１１      オーバーグラス
１２      フレーム
１３      色付きレンズ部
１４      液晶表示部
１５      カメラ装置
１６      マイクロフォン
１７      イヤホーン
【図１】
0003907523.tif 000002
【図２】
0003907523.tif 000003
【図３】
0003907523.tif 000004